(57)【特許請求の範囲】
【請求項１】
装着者の前腕に装着される格闘技用グローブにおいて、
先端が面状に塞がれ、後端が前記前腕を挿入するために開口される有底の筒状体と、
前記筒状体の先端の面に一体的に取り付けられる衝撃吸収のための略半球体とを具備し、
前記筒状体の周面には複数の短冊状の発泡プラスチック材が装備され、
前記筒状体の内部であって先端の面の内側近傍には、前記装着者の拳を保護するために可撓性および圧潰性を有する前記装着者が握持するための管状体が、前記筒状体の先端の面に略平行であって且つ前記筒状体の内部を横断するようにその両端において前記筒状体の内面に保持され、
前記略半球体は、可撓性及び非通気性を有する袋体の内部に複数の化学繊維綿塊が充填され、前記袋体の側周面に同形状且つ同寸の複数の通気口が側周方向に沿って均等に配置されてなる、格闘技用グローブ。
【請求項２】
前記筒状体の先端の面には前記装着者の前記拳を保護するために円盤形の発泡プラスチック板が装備される請求項１に記載の格闘技用グローブ。
【請求項３】
前記通気口は一対であり、前記一対の通気口の中心間を結ぶ線が前記管状体に平行であ且つ互いに対峙する位置に配置される請求項１に記載の格闘技用グローブ。
【請求項４】
前記略半球体の先端は平面状に形成されている請求項１に記載の格闘技用グローブ。
【請求項５】
前記略半球体の径は前記筒状体の径よりも大きい請求項１に記載の格闘技用グローブ。
【請求項６】
前記通気口はメッシュ布で塞がれる請求項１に記載の格闘技用グローブ。
【発明の詳細な説明】
【技術分野】
【０００１】
本発明は、拳法、空手、ボクシング等の各種の格闘技において、装着者が拳に装着して打撃者の拳とともに打撃を受ける被打撃者の顔面、特に鼻部を保護するための格闘技用グローブに関する。
【背景技術】
【０００２】
拳法、空手、ボクシング等の格闘技において、装着者が拳に装着して自身の拳を保護するための格闘技用グローブとして様々なものが知られている（例えば、特許文献１，２参照。）。一般的な格闘技用グローブは、皮革又は人造皮革によって手首関節と手の甲と指とを覆う可撓性外被の内部に硬質ポリウレタンフォームなどの発泡プラスチックが嵌め込まれている。発泡プラスチックが変形することで衝撃が緩和され装着者の拳が保護される。
【０００３】
上述した格闘技用グローブでは次のような問題があった。  
硬質ポリウレタンフォームなどの発泡プラスチックは、その物性上、比較的高い弾性を有しているものの、厚さ変形率（変形前後厚さ変化／変形前厚さ、厚さ方向のひずみ）が小さく、その変形に要する時間も短いことから、衝撃を吸収する効果は十分とは言えなかった。そのため特に初心者や年少者の使用には十分適しているとは言えないかもしれない。初心者や年少者の使用に適するように十分な衝撃吸収効果を発揮させようとすると、発泡プラスチックの厚みを増加させる必要があるが、それに比例して格闘技用グローブの重量も増してしまう。
【０００４】
また従来の格闘技用グローブは、打撃を与える打撃者の拳の保護に重きがおかれていたため、打撃を受ける被打撃者の保護に関しては、被打撃者がヘッドギア等のプロテクターを装着すれば良いとの考えから、あまり注力されてこなかった。
【０００５】
さらに従来の格闘技用グローブは、手を挿入してからベルクロ（Ｖｅｌｃｒｏ：登録商標）で手首に締着される。そのため特にグローブを装着した状態では容易に着脱することができなかった。
【先行技術文献】
【特許文献】
【０００６】
【特許文献１】実用新案登録第３１６６６１１号公報
【特許文献２】特公平０７−０７３６１７号公報
【発明の概要】
【発明が解決しようとする課題】
【０００７】
目的は、高い衝撃吸収効果を確保しながら、軽量化を実現し、しかも着脱性の良好な格闘技用グローブを提供することにある。
【課題を解決するための手段】
【０００８】
本実施形態は、装着者の前腕に装着される格闘技用グローブは、先端が面状に塞がれ、後端が前腕を挿入するために開口される有底の筒状体と、筒状体の先端の面に一体的に取り付けられる衝撃吸収のための略半球体とからなる。筒状体の周面には複数の短冊状の発泡プラスチック材が装備される。筒状体の内部であって先端の面の内側近傍には、装着者の拳を保護するために可撓性および圧潰性を有する装着者が握持するための管状体が、筒状体の先端の面に略平行であって且つ筒状体の内部を横断するようにその両端において筒状体の内面に保持される。略半球体は、可撓性及び非通気性を有する袋体の内部に複数の化学繊維綿塊が充填され、袋体の側周面に同形状且つ同寸の複数の通気口が側周方向に沿って均等に配置される。
【図面の簡単な説明】
【０００９】
【図１】図１は、本実施形態に係る格闘技用グローブを示す上面図。
【図２】図２は、同格闘技用グローブを示す側面図。
【図３】図３は、同格闘技用グローブを示す正面図。
【図４】図４は、同格闘技用グローブを示す背面図。
【図５】図５は、同格闘技用グローブを図１におけるＡ−Ａ線で切断して矢印方向に見た断面図。
【図６】図６は、同格闘技用グローブを図２におけるＢ−Ｂ線で切断して矢印方向に見た断面図。
【図７】図７は、同格闘技用グローブのしよう方法を示す説明図。
【図８】図８は、同格闘技用グローブの使用時（第１段階）における挙動を示す説明図。
【図９】図９は、同格闘技用グローブの使用時（第２段階）における挙動を示す説明図。
【図１０】図１０は、同格闘技用グローブの使用時（第３段階）における挙動を示す説明図。
【発明を実施するための形態】
【００１０】
以下、本実施形態に係る格闘技用グローブ１０の構造について図面を用いて説明する。  
格闘技用グローブ１０は、拳法、空手、ボクシング等の各種の格闘技において、装着者が拳、前腕に装着して保護するために用いられ、特に初心者用、年少者用の他、低打撃型の新格闘技に適したものである。なお、各図においてＨは装着者（装着者）を示している。さらにＨａは装着者Ｈの前腕、Ｈｂは拳、Ｈｃは拳Ｈｂの当接部を示している。
【００１１】
図１乃至図４に示すように、格闘技用グローブ１０は、装着者Ｈの前腕Ｈａに装着する有底筒状体としての前腕装着部２０を有する。前腕装着部２０の先端は面状に閉塞され、後端は前腕Ｈａを拳Ｈｂから受け入れるために開放される。なお説明の便宜上、前腕装着部２０の先端の面を底部２３と称し、前腕装着部２０の後端の開放された部分を開口２１ａと称する。
【００１２】
前腕装着部２０の先端の面、つまり底部２３には略半球体としての衝撃吸収部３０が一体的に取り付けられる。
【００１３】
図５、図６に示すように、前腕装着部２０は、可撓性を有する比較的硬質の例えば皮革又は人工皮革によって形成された筒状体としての外殻部２１を有する。外殻部２１は典型的には六角筒状体であるが、四角筒状体、五角筒状体、七角筒状体、八角筒状体、それ以上の多角筒体、さらに円筒体を否定するものではない。
【００１４】
外殻部２１の周面には、対戦相手の打撃や蹴りを受けるとともに外殻部２１の形態を維持するために、短冊状の複数の発泡プラスチック材２２が緩衝材としてその周方向に沿って均等に且つ互いに平行に取り付けられる。発泡プラスチック材２２として典型的には硬質ポリウレタンフォームであるが、軟質ポリウレタンフォーム、ポリエチレンフォーム、ＰＥＴ樹脂発泡体などの他の発泡プラスチック材を否定するものではない。
【００１５】
外殻部２１の内部であって先端の面（底部２３）の内側近傍には、装着者Ｈの拳Ｈｂを保護するために、可撓性および圧潰性を有する装着者Ｈが握持するための管状体としての握持部２４が、外殻部２１の底部２３に略平行であって且つ外殻部２１の内部をその直径方向に横断するようにその両端において外殻部２１の内面に保持され、具体的には底部２３の外縁部に取り付けられている。握持部２４は可撓性および圧潰性を有するために典型的には軟質塩化ビニール製の管状体である。
【００１６】
装着者Ｈは握持部２４を握り込み、拳Ｈｂで対象を殴打したとき、拳Ｈｂを強く握り込むものであるが、握持部２４はその圧潰性により中空が潰れるように変形し、拳Ｈｂの強い握り込みを許容することができる。それにより指関節は良好に保護され得る。また握持部２４の圧潰性は可撓性とともに殴打による拳Ｈｂにかかる衝撃を左右に逃がし緩和することができる。
【００１７】
外殻部２１の底部２３に取り付けられる衝撃吸収部３０は、可撓性を有し、且つ空気が通過しない非通気性を有する比較的軟質の例えば皮革又は人工皮革の革材３２が繋ぎ合わされて袋体に形成された外被部材３１を備えている。外被部材３１は略半円球形状に膨らむように構成される。外被部材３１は略半球形状ではあるが、その先端面は少し平坦に構成されている。当該平坦部分を説明の便宜上先端面を平坦部３１ａと称する。
【００１８】
外被部材３１の内部には、ポリプロピレン繊維によって形成された複数のポリプロピレン綿（化学繊維綿）製の塊（ポリプロピレン綿塊）４０が充填されている。それにより外力が無い状態では衝撃吸収部３０は略半円球形状に維持される。ポリプロピレン綿塊４０を構成するポリプロピレンは、化学繊維の中でも軽量であり、しかも吸水性も非常に低く、衝撃吸収部３０内に長期間封入しても吸湿することなく、重さの変化が少ない。また、発泡プラスチックよりも空気の抜けが良く、変形率が高く、復元速度が速いという特性を有している。ポリプロピレン綿塊４０は衝撃吸収部３０内部に調整しながら充填される。なお、その場合、ポリプロピレン綿塊４０を革材３２の継ぎ目から出し入れすることが可能であり、外被部材３１内に充填するポリプロピレン綿塊４０の数量を調整することにより衝撃吸収部３０の硬さを容易に調整することができ、またポリプロピレン綿塊４０を単位として排出し、充填する交換等の作業性が良好でありメンテナンス性に優れている。
【００１９】
外被部材３１の袋体の側周面には、同形状且つ同寸の複数の通気口３２ａが側周方向に沿って均等に空けられている。例えば通気口３２ａは矩形、円形に形成される。袋状の外被部材３１は非通気性であるので、打撃にともなって内部空気はほぼ通気口３２ａのみから排出される。それにより衝撃吸収部３０は圧縮変形をする。通気口３２ａの広狭により、通気口３２ａからの内部空気の排出効率が変化するので、外力が加わって衝撃吸収部３０が変形し始めてから変形限界に達するまでの「変形に要する時間」も長短変化する。通気口３２ａが狭く、衝撃吸収部３０の変形に要する時間が長くなれば、衝撃吸収性は向上するが、衝撃吸収部３０が元の略半球形状に復元するのに要する時間も長くなり、短時間で繰り返されるような打撃には適さない。一方、通気口３２ａが広く、衝撃吸収部３０の変形に要する時間が短くなれば、衝撃吸収性は低下するが、衝撃吸収部３０が元の略半球形状に復元するのに要する時間は短縮され、短時間で繰り返される打撃に適する。通気口３２ａの開口寸法はこのような特性を考慮しながら任意に調整され得る。
【００２０】
なお、図示しないが通気口３２ａの外縁周囲には非通気性の蓋布片が着脱自在に設けられている。好適にはボタンホールを必要としないスナップボタン等の留め具が用いられる。適宜枚数の蓋布片を取り付けて、通気口３２ａを部分的に塞ぐことにより通気口３２ａの開口寸法を実質的に変更して、トレードオフの関係にある衝撃吸収性と復元速度とを簡単に適正化させることができるようになっている。
【００２１】
同形状且つ同寸の複数の通気口３２ａが袋体としての外被部材３１の側周面に側周方向に沿って均等に空けられているので、打撃により衝撃吸収部３０がその先端から外力を受けたとき、これら通気口３２ａから内部空気が均等に排出されていくので、衝撃吸収部３０は一方に偏ることなく、略均一に薄くなり、ほぼ平坦に潰れていく（圧縮変形する）。従って衝撃吸収部３０が対象と接する面の面積は、外力が加わって衝撃吸収部３０が変形し始めてから変形限界に達するまで、徐々に拡大するので、より高い衝撃吸収性を実現できる。
【００２２】
典型的には、通気口３２ａは、衝撃吸収部３０の中央部を挟んで一対設けられる。その一対の通気口３２ａを結ぶ方向は、握持部２４の軸方向に対して平行になるように通気口３２ａは、配置される。
【００２３】
前腕装着部２０と衝撃吸収部３０との間には、前腕装着部２０と衝撃吸収部３０の形態を維持するとともに拳Ｈｂをより保護するために、板状の発泡プラスチック板５０が配置されている。
【００２４】
このように構成された格闘技用グローブ１０は、次のように使用する。すなわち、図７に示すように、装着者Ｈは、前腕Ｈａを開口２１ａから外殻部２１内に挿入し、図８に示すように拳Ｈｂで握持部２４を握る。それにより格闘技用グローブ１０を簡単に装着することができる。装着者Ｈは握持部２４を放し、前腕Ｈａを外殻部２１から抜くことで、格闘技用グローブ１０を容易に外すことができる。
【００２５】
拳Ｈｂで握持部２４を握る状態では、拳Ｈｂの当接部Ｈｃは底部２３に軽く触れる。
なお、図８〜１０においてＫは練習用の壁部を示している。
【００２６】
次に練習用の壁部Ｋに向かって拳Ｈｂを突き出す。この動作により、図９に示すように衝撃吸収部３０の平坦部３１ａが壁部Ｋに当接する。壁部Ｋからの反力及び拳Ｈｂからの力により、衝撃吸収部３０内部の空気及びポリプロピレン綿塊４０が圧縮される。このとき、平坦部３１ａ側から衝撃吸収部３０は前腕Ｈａ方向に平坦を維持したまま圧縮される。ポリプロピレン綿塊４０は内部に気泡を有さないため弾性力は低いが、ポリプロピレン綿塊４０の繊維が粗の状態から密の状態に向けて急激に圧縮されることにより、高い厚さ変形率を確保できる。なお厚さ変形率とは図８に示すように変形前の厚さをＴ０、図１０に示すように限界変形に達したときの厚さをＴ１とすると、（Ｔ０−Ｔ１）／Ｔ０で与えられる。衝撃吸収部３０の厚さ変形率は、ポリプロピレン綿塊４０の特性、袋体及び通気口３２ａの構造により、発泡プラスチック材２２，発泡プラスチック板５０よりも格段に高い。
【００２７】
次に、拳Ｈｂは厚さ方向より幅方向が大きいため、衝撃吸収部３０内部の空気は左右側、すなわち、衝撃吸収部３０内部の空気がメッシュ布３３から外部に抜ける。さらにメッシュ布３３が設けられていない拳Ｈｂの厚さ方向に圧縮される。この一連の動作により、ポリプロピレン綿塊４０の弾性に、空気の弾性が加わる。空気の弾性力は最初一時的に機能するものの、空気が抜けて行くことで拳Ｈｂへの衝撃はより緩和される。このため、壁部Ｋからの反力が前腕装着部２０側に減衰して伝わる。さらに、拳Ｈｂに対しては、発泡プラスチック板５０の圧縮及び握持部２４の撓みによって、衝撃が吸収されて伝わることから、拳Ｈｂへの力が緩和される。このため、拳Ｈｂを痛めることを防止できる。衝撃吸収部３０の前面は平坦部３１ａであることから衝撃緩和性はさらに向上する。
【００２８】
一方、打撃を受ける被打撃者に関しては、打撃初期の段階では略半球体としての衝撃吸収部３０がその前側の平坦部３１ａの略中央箇所において例えば鼻部に接し、さらに押し込まれるに応じて、上述したように衝撃吸収部３０が徐々に薄く変形していく。その変形過程において、衝撃吸収部３０では凸部としての鼻部に接する衝撃吸収部３０の略中央箇所がまず窪み、さらにその周囲が鼻部を包み込むように潰れていき、衝撃吸収部３０は鼻部だけでなく、左右の頬骨、額、顎に接する。つまり衝撃は鼻部、左右の頬骨、額、顎等で分散される。従って被打撃者が受ける衝撃はより緩和され得る。
【００２９】
このように、袋体に複数のポリプロピレン綿塊４０を充填すると共に、通気口３２ａから内部空気を排気させることにより、高い衝撃吸収性を発揮させて拳Ｈｂとともに被打撃者を保護することができる。また、格闘技用グローブ１０全体を軽量に形成することが可能となる。
【００３０】
上述した実施形態においては、化学繊維綿の例としてポリプロピレン綿を例示したが、その他の化学繊維綿でも良い。化学繊維綿の量は衝撃吸収機能の強弱によって適宜変更しても良い。また、衝撃吸収部の通気口は上述した位置や数に限られず、格闘技の種類や使用者の力量に応じて適宜変更しても良い。メッシュ布の目の粗さも同様にして変更してもよい。
【００３１】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００３２】
１０…格闘技用グローブ、２０…前腕装着部、２１…外殻部、２１ａ…開口、２２…発泡プラスチック材、２３…底部、２４…握持部、３０…衝撃吸収部、３１…外被部材、３１ａ…平坦部、３２…革材、３２ａ…開口部（通気口）、３３…メッシュ布、４０…ポリプロピレン綿塊（化学繊維綿塊）、５０…発泡プラスチック板、Ｈ…装着者、Ｈａ…前腕、Ｈｂ…拳、Ｈｃ…当接部、Ｋ…壁部。
【要約】
【課題】高い衝撃吸収効果を確保しながら、軽量化を実現し、しかも着脱性の良好な格闘技用グローブを提供すること。
【解決手段】装着者の前腕に装着される格闘技用グローブは、先端が面状に塞がれ、後端が開口される有底筒状体の前腕装着部２０と、前腕装着部の先端の面に一体的に取り付けられる衝撃吸収のための略半球体の衝撃吸収部３０とからなる。前腕装着部の内部であって先端の面の内側近傍には、装着者の拳を保護するために可撓性および圧潰性を有する装着者が握持するための管状体の握持部２４が、前腕装着部の先端の面に略平行であって且つ前腕装着部の内部を横断するようにその両端において前腕装着部の内面に保持される。衝撃吸収部は、可撓性及び非通気性を有する袋体の外被部材３１の内部に複数の化学繊維綿塊４０が充填され、袋体の側周面に同形状且つ同寸の複数の通気口３２ａが側周方向に沿って均等に配置される。
【選択図】      図１【図１】
0006802457.tif 000002
【図２】
0006802457.tif 000003
【図３】
0006802457.tif 000004
【図４】
0006802457.tif 000005
【図５】
0006802457.tif 000006
【図６】
0006802457.tif 000007
【図７】
0006802457.tif 000008
【図８】
0006802457.tif 000009
【図９】
0006802457.tif 000010
【図１０】
0006802457.tif 000011